(57)【要約】【課題】プロテクタ全体におけるデッドスペースを削減して、プロテクタ本体の電線収容スペースを大きく確保することができる、新規な構造の電線収容プロテクタを提供すること。【解決手段】蓋体１６の外周縁部に、プロテクタ本体１２側に向かって突出する複数のロック片４６が撓み変形可能に突設されていると共に、各ロック片４６にロック突起４８が突設されている一方、プロテクタ本体１２の側壁２０に、側壁２０の内部を高さ方向に延出して側壁２０の上面に開口する複数のロック片挿入孔３８が形成されていると共に、各ロック片挿入孔３８の内部にロック突部４４が設けられており、複数のロック片挿入孔３８に対してそれぞれ対応する複数のロック片４６を挿入して、ロック突部４４とロック突起４８を係合させることにより、プロテクタ本体１２に対して蓋体１６がロック嵌合されるようにした。【選択図】図５
2014082880.tif 000002
【特許請求の範囲】
【請求項１】
樋状に延びるプロテクタ本体と、該プロテクタ本体の上方開口部を覆蓋する蓋体とを備えた電線収容プロテクタにおいて、
前記蓋体の外周縁部に、前記プロテクタ本体側に向かって突出する複数のロック片が撓み変形可能に突設されていると共に、各該ロック片にロック突起が突設されている一方、
前記プロテクタ本体の側壁に、該側壁の内部を高さ方向に延出して該側壁の上面に開口する複数のロック片挿入孔が形成されていると共に、各該ロック片挿入孔の内部にロック突部が設けられており、
前記複数のロック片挿入孔に対してそれぞれ対応する前記複数のロック片を挿入して、前記ロック突部とロック突起を係合させることにより、前記プロテクタ本体に対して前記蓋体がロック嵌合されるようになっている
ことを特徴とする電線収容プロテクタ。
【請求項２】
前記プロテクタ本体の前記側壁において、該側壁の板厚寸法が前記ロック片挿入孔の形成部位において僅かに厚くされていると共に、前記ロック片挿入孔の形成部位における前記側壁の内面が、前記ロック片挿入孔が形成されていない前記側壁の内面よりも、前記プロテクタ本体の内側に突出されている請求項１に記載の電線収容プロテクタ。
【請求項３】
前記蓋体の前記ロック片の外面側に前記ロック突起が突設されている一方、前記ロック片挿入孔を画成する外周側内面と内周側内面の対向面間には、該外周側内面から該内周側内面に向かって突出するように前記ロック突部が設けられており、該ロック突部の突出端面と前記ロック片挿通孔の内周側内面との間に、前記ロック片のロック突起形成部分が挿通可能な対向隙間が形成されている請求項１又は２に記載の電線収容プロテクタ。
【発明の詳細な説明】
【技術分野】
【０００１】
本発明は、自動車等に配索される多数の電線を挿通保持する電線収容プロテクタに関するものである。
【背景技術】
【０００２】
従来から、自動車等の電装系においては、配索される多数の電線を、電線収容プロテクタに挿通保持して適所に固定することにより、電線を外部の干渉部材から保護したり、電線の経路を規制することが行われている。
【０００３】
ところで、このような電線収容プロテクタは、実開平６−７０４１５号公報（特許文献１）等に記載されているとおり、樋状のプロテクタ本体と、プロテクタ本体の上方開口部を覆蓋する蓋体とを含んで構成されている。そして、多数の電線をプロテクタ本体に挿通した後、プロテクタ本体の側壁外方に突出して設けられたロック機構を介して、蓋体をプロテクタ本体に固定することにより、多数の電線を収容状態に保持できるようになっている。
【０００４】
ところが、従来構造の電線収容プロテクタでは、ロック機構がプロテクタ本体の側壁の外方に突出して形成されていることから、ロック機構の形成スペースの分、プロテクタ本体の電線収容部の容積を小さくせざるを得ないという問題を内在していた。即ち、図６に概念的に示すように、電線収容プロテクタを配置する許容スペース：Ａを想定すると、従来構造の電線収容プロテクタ２では、プロテクタ本体４の側壁５の外方に突出するロック機構６の形成スペース：α×２分だけ、プロテクタ本体４の側壁５の位置を内側に寄せる必要がある。それ故、ロック機構６の下方部分や、ロック機構６が形成されていない領域においては、α部分がデッドスペースとなり、プロテクタ本体４の収容スペース：Ｃが不必要に小さくされているのである。
【０００５】
特に近年では、自動車のコンパクト化の要求に加えて、車載電装品も増加傾向にあり、電線収容プロテクタの配設許容スペース：Ａを大きくすることなく、プロテクタ本体の収容スペースを大きくする必要がある。従来構造の電線収容プロテクタ２では、かかる要求に十分に対応しきれず、電線収容プロテクタ２の収容量に対して電線が多すぎてプロテクタ本体４に蓋体８をロック嵌合する作業が困難になる場合もあった。
【先行技術文献】
【特許文献】
【０００６】
【特許文献１】実開平６−７０４１５号公報
【発明の概要】
【発明が解決しようとする課題】
【０００７】
本発明は、上述の事情を背景に為されたものであって、その解決課題は、プロテクタ全体におけるデッドスペースを削減して、プロテクタ本体の電線収容スペースを大きく確保することができる、新規な構造の電線収容プロテクタを提供することにある。
【課題を解決するための手段】
【０００８】
本発明の第一の態様は、樋状に延びるプロテクタ本体と、該プロテクタ本体の上方開口部を覆蓋する蓋体とを備えた電線収容プロテクタにおいて、前記蓋体の外周縁部に、前記プロテクタ本体側に向かって突出する複数のロック片が撓み変形可能に突設されていると共に、各該ロック片にロック突起が突設されている一方、前記プロテクタ本体の側壁に、該側壁の内部を高さ方向に延出して該側壁の上面に開口する複数のロック片挿入孔が形成されていると共に、各該ロック片挿入孔の内部にロック突部が設けられており、前記複数のロック片挿入孔に対してそれぞれ対応する前記複数のロック片を挿入して、前記ロック突部とロック突起を係合させることにより、前記プロテクタ本体に対して前記蓋体がロック嵌合されるようになっていることを特徴とする。
【０００９】
本態様によれば、プロテクタ本体の側壁の内部に、プロテクタ本体と蓋体をロックする、ロック突起とロック突部からなるロック機構を収容配置させることができる。従って、ロック機構がプロテクタ本体の側壁外面に突出して設けられていた従来構造に比して、プロテクタ本体の側壁を、電線プロテクタの配設許容スペースの最大範囲にまで広げて形成することができる。それ故、側壁外面に突出するロック機構により発生していた、プロテクタ本体周辺のデッドスペースを削減して、プロテクタ本体内の電線収容スペースを大きく確保することができる。
【００１０】
しかも、ロック突起とロック突部からなるロック機構がプロテクタ本体の側壁の内部に収容配置されていることから、プロテクタ本体の側壁を許容スペースの最大範囲まで広げても、電線収容プロテクタ自体が、配設許容スペースから突出することがなく、電線収容プロテクタをコンパクトに維持しつつ、プロテクタ本体の電線収容スペースを広げることができるのである。
【００１１】
さらに、ロック突起とロック突部がプロテクタ本体の側壁の内部に収容配置されていることから、周辺の電線にロック突起やロック突部が引っ掛かり断線等の不具合を起こす危険性も良好に低減されている。さらに、プロテクタ本体の側壁外面に突出形成される部位を削減できることから、電線収容プロテクタの外観デザインを向上させることも可能となる。
【００１２】
本発明の第二の態様は、前記第一の態様に記載のものにおいて、前記プロテクタ本体の前記側壁において、該側壁の板厚寸法が前記ロック片挿入孔の形成部位において僅かに厚くされていると共に、前記ロック片挿入孔の形成部位における前記側壁の内面が、前記ロック片挿入孔が形成されていない前記側壁の内面よりも、前記プロテクタ本体の内側に突出されているものである。
【００１３】
本態様によれば、プロテクタ本体の側壁において、ロック片挿入孔の形成部位の板厚寸法が僅かに厚くされていることから、ロック片挿入孔やそこに挿入されるロック片の十分な剛性を確保しつつ、ロック突起とロック突部の係合代も有利に確保することができる。それ故、プロテクタ本体の側壁内に収容されるロック機構のロック安定性を有利に実現できる。
【００１４】
さらに、ロック片挿入孔の形成部位における側壁内面を、それ以外の部分の側壁内面よりも内側に突出させることにより、ロック片挿入孔形成部位の板厚寸法が確保されている。それ故、ロック片挿入孔形成部位以外の部分において、プロテクタ本体内の収容スペースが最大限に確保されることから、従来構造に比して、ロック機構によるデッドスペースを飛躍的に縮小させ、ロック安定性を確保しつつ電線収容プロテクタの電線収容能力を有利に向上させることができるのである。
【００１５】
本発明の第三の態様は、前記第一又は第二の態様に記載のものにおいて、前前記蓋体の前記ロック片の外面側に前記ロック突起が突設されている一方、前記ロック片挿入孔を画成する外周側内面と内周側内面の対向面間には、該外周側内面から該内周側内面に向かって突出するように前記ロック突部が設けられており、該ロック突部の突出端面と前記ロック片挿通孔の内周側内面との間に、前記ロック片のロック突起形成部分が挿通可能な対向隙間が形成されているものである。
【００１６】
本態様によれば、蓋体の外周縁部に突出されたロック片の外面側にロック突起が突設されていることから、プロテクタ本体に電線を挿通して蓋体を装着する際に、挿通配置された電線とロック突起が干渉するリスクを有利に回避することができる。また、蓋体を装着する際に、ロック片が蓋体の内側に向かって撓み変形されることから、蓋体がプロテクタ本体の開口部から上方に離隔する変形が抑えられて、装着後の蓋体の覆蓋安定性にも寄与し得る。
【発明の効果】
【００１７】
本発明の電線収容プロテクタによれば、プロテクタ本体の側壁の内部に、プロテクタ本体と蓋体をロックするロック機構を収容配置させることができる。これにより、側壁外面に突出するロック機構により発生していた、従来構造で問題であったプロテクタ本体周辺のデッドスペースを削減して、プロテクタ本体内の電線収容スペースを大きく確保することができる。
【図面の簡単な説明】
【００１８】
【図１】本発明の一実施形態としての電線収容プロテクタの全体斜視図。
【図２】図１に示す電線収容プロテクタのプロテクタ本体の斜視図。
【図３】図１に示す電線収容プロテクタの蓋体の斜視図。
【図４】図１に示す電線収容プロテクタの平面図。
【図５】図４のＶ−Ｖ断面拡大図。
【図６】従来構造の図５に相当する断面図。
【発明を実施するための形態】
【００１９】
以下、本発明の実施形態について、図面を参照しつつ説明する。
【００２０】
先ず、図１〜５には、本発明の第一の実施形態としての電線収容プロテクタ１０が、示されている。この電線収容プロテクタ１０は、樋状に延びるプロテクタ本体１２と、プロテクタ本体１２の上方開口部１４を覆蓋する蓋体１６を含んで構成されている。かかる電線収容プロテクタ１０は、プロテクタ本体１２内に図示しないワイヤーハーネスを挿通状態で収容して用いられる。以下の説明において、上方とは、図１中の上方、下方とは、図１中の下方、また前方とは、図１中の左方、後方とは、図１中の右方を言うものとする。
【００２１】
図２に示すように、プロテクタ本体１２は、底壁１８と底壁１８の両側から立ち上がる一対の側壁２０，２０、を含んで樋状に延びる構成とされており、例えばポリプロピレン（ＰＰ）、ポリアミド（ＰＡ）等の合成樹脂により射出成形等によって一体形成されている。プロテクタ本体１２の長手方向先端部において、奥側の側壁２０及び底壁１８から長手方向外方に延び出すＬ字状のガイド部２２が設けられている。このガイド部２２により、プロテクタ本体１２内に挿通状態で収容された図示しないワイヤーハーネスの幹線は、プロテクタ本体１２の長手方向先端部において所定の方向にガイドされるようになっている。一方、プロテクタ本体１２の長手方向後端部には、奥側の側壁２０に連接して結束バンド固定部２４が設けられており、ワイヤーハーネスの幹線を固定できるようになっている。また、本実施形態では、奥側の側壁２０には１箇所、手前側の側壁２０には３箇所、Ｕ字状の切欠部２８が形成されている。いずれの切欠部２８の外縁部にも、ガイド部３０及び結束バンド固定部３２が設けられており、図示しないワイヤーハーネスの支線を所定の方向にガイドおよび固定できるようになっている。なお、切欠部２８は長手方向に離隔して、必要に応じて任意の数を設けてもよい。加えて、手前側の側壁２０の両端部には、側壁２０の板厚方向外方に突出する円盤状の固定部３４が設けられている。固定部３４は、固定部３４の側面から斜め上方に延出し側壁２０に連接する略三角形状の支持部３５により支えられるようになっている。これら固定部３４にはいずれも中央部分に貫通孔３６が形成されており、図示しないボルトで以って車体側に固定されるようになっている。
【００２２】
図２に示すように、プロテクタ本体１２の側壁２０には、さらに、側壁２０の内部を高さ方向に延出して側壁２０の上面に開口する複数のロック片挿入孔３８が形成されている。本実施形態では、ロック片挿入孔３８は、奥側の側壁２０に４箇所、手前側の側壁２０には７箇所、形成されているが、長手方向に離隔して、必要に応じて任意の数を設けてもよい。ここで、ロック片挿入孔３８の形成部位における側壁２０の内面４０が、僅かにプロテクタ本体の内側に突出されて形成されている。すなわち、ロック片挿入孔３８の形成部位における側壁２０の板厚寸法：ｔ１が、ロック片挿入孔３８が形成されていない側壁２０の板厚寸法：ｔ２よりも、僅かに厚くされているのである。また、ロック片挿入孔３８の内部には後述するようにロック突部４４が設けられている。
【００２３】
一方、図３に示すように、蓋体１６は、その外周縁部において、プロテクタ本体１２側に向かって突出する略矩形状の複数のロック片４６が板厚方向に撓み変形可能に突設されている。ロック片４６は、先端部の幅が徐々に狭くなる台形形状を呈している一方、最先端部には板厚方向外方に突出するロック突起４８が設けられている。本実施形態では、ロック片４６は、上述のロック片挿入孔３８に対応して、１１箇所に形成されている。また、蓋体１６の上面の中央部分には補強用のロック爪部５０が設けられており、プロテクタ本体１２の側壁２０の外面に突設された図４に示すロック枠部５２に係合固定されるようになっている。なお、蓋体１６はプロテクタ本体１２と同じく、例えばポリプロピレン（ＰＰ）、ポリアミド（ＰＡ）等の合成樹脂により射出成形等によって一体形成されている一方、プロテクタ本体１２とは別体成形とされている。
【００２４】
このような構造とされたプロテクタ本体１２の複数のロック片挿入孔３８に対してそれぞれ対応する蓋体１６の複数のロック片４６を挿入して、ロック片挿入孔３８のロック突部４４とロック片４６のロック突起４８を係合させることにより、図１及び図４に示すように、プロテクタ本体１２に対して蓋体１６がロック嵌合されるようになっている。このように、ロック片挿入孔３８のロック突部４４とロック片４６のロック突起４８により、ロック機構が構成されているのである。
【００２５】
次に、図５を用いて、ロック機構の詳細について説明する。先ず、蓋体１６のロック片４６の先端部をロック片挿入孔３８に挿入する。ロック片４６の先端部には、ロック突起形成部分５４が形成されている一方、ロック突起形成部分５４の先端部には、プロテクタ本体１２と蓋体１６の組付方向において、先端側から基端側に向かうに従って次第に外方に突出するテーパ面５６が形成されている。それ故、蓋体１６のロック片４６の先端部をプロテクタ本体１２方向に押し込むことで、テーパ面５６の作用により、ロック片４６が蓋体１６の内側に向かって撓み変形されて、ロック片挿入孔３８に挿入されるのである。ロック片挿入孔３８の上方には、ロック片挿入孔３８を画成する外周側内面５８から内周側内面６０に向かって突出するようにロック突部４４が設けられており、ロック突部４４の突出端面６２とロック片挿入孔３８の内周側内面６０間の寸法：Ｗ１は、ロック片４６のロック突起形成部分５４の板厚方向の寸法：Ｗ２と同等か僅かに大きくされている。それ故、ロック片４６を、ロック片挿入孔３８の奥方へとさらに押し入れることができる。そして、ロック片４６の先端部に形成されたロック突起形成部分５４がロック突部４４を越えるとロック片４６が弾性復帰して、ロック突起４８がロック片挿入孔３８の外周側内面５８に当接する。これにより、ロック片４６のロック突起４８がロック片挿入孔３８のロック突部４４と係合され、プロテクタ本体１２に対して蓋体１６がロック嵌合されるのである。
【００２６】
このような構造とされた電線収容プロテクタ１０の収容スペースの大きさについて、図５〜６を用いて、従来構造の電線収容プロテクタ２と対比しながら説明する。先ず、図５に示すように、本実施形態における電線収容プロテクタ１０の収容スペース：Ｂは、側壁２０，２０間の寸法となる。図２に示したように、ロック片挿入孔３８の形成部位における側壁２０の板厚寸法はｔ１である。そうすると、電線収容プロテクタ１０の収容スペース：Ｂの大きさは、配設許容スペースをＡとした場合、（Ａ−２×ｔ１）で表される。一方、図６に示すように、従来構造における電線収容プロテクタ２の収容スペース：Ｃは、側壁５，５間の寸法となる。仮に電線収容プロテクタ２の側壁５，５の板厚寸法を、図２に示した電線収容プロテクタ１０のロック片挿入孔３８が形成されていない側壁２０の板厚寸法：ｔ２と同じとすると、電線収容プロテクタ２の収容スペース：Ｃの大きさは、配設許容スペースをＡとした場合、（Ａ−２×ｔ２−２×α）で表される。前述のように、ｔ１はｔ２よりも僅かに厚いだけであることから、本実施形態における電線収容プロテクタ１０の収容スペース：Ｂは、従来構造における電線収容プロテクタ２の収容スペース：Ｃよりも、略ロック機構６のプロテクタ本体４からの突出分：（２×α）広くできることが分かる。
【００２７】
要するに、本実施形態の電線収容プロテクタ１０では、プロテクタ本体１２の側壁２０の内部に、プロテクタ本体１２と蓋体１６をロックする、ロック突起４８とロック突部４４からなるロック機構を収容配置できる。これにより、ロック機構６がプロテクタ本体４の側壁５外面に突出して設けられていた従来構造の電線収容プロテクタ２に比べて、プロテクタ本体４の側壁５を、電線収容プロテクタの配設許容スペースの最大範囲：（Ａ−２×ｔ１）にまで広げて形成することができる。それ故、プロテクタ本体４の側壁５外面に突出するロック機構６により発生していた、プロテクタ本体４周辺のデッドスペース：（２×α）を削減して、プロテクタ本体内の電線収容スペースを大きく確保することができる。しかも、ロック突起４８とロック突部４４からなるロック機構がプロテクタ本体１２の側壁２０の内部に収容配置されていることから、プロテクタ本体１２の側壁２０を許容スペースの最大範囲まで広げても、電線収容プロテクタ１０自体が、配設許容スペース：Ａから突出することがなく、電線収容プロテクタ１０をコンパクトに維持しつつ、プロテクタ本体１２の電線収容スペースを広げることができるのである。
【００２８】
さらに、ロック突起４８とロック突部４４がプロテクタ本体１２の側壁２０の内部に収容配置されていることから、電線等の周辺部材にロック突起４８とロック突部４４が引っ掛かり、断線等の不具合を起こす危険性も良好に低減されている。また、蓋体１６の外周縁部に突出されたロック片４６の外面側にロック突起４８が突設されていることから、プロテクタ本体１２に電線を挿通して蓋体１６を装着する際に、挿通配置された電線とロック突起４８が干渉するリスクを有利に回避することができる。加えて、蓋体１６を装着する際に、ロック片４６が蓋体１６の内側に向かって撓み変形されることから、蓋体１６がプロテクタ本体１２の上方開口部１４から上方に離隔する変形が抑えられて、装着後の蓋体１６の覆蓋安定性にも寄与し得るのである。
【００２９】
また、プロテクタ本体１２の側壁２０において、ロック片挿入孔３８の形成部位の板厚寸法が僅かに厚くされていることから、ロック片挿入孔３８やそこに挿入されるロック片４６の十分な剛性を確保しつつ、ロック突起４８とロック突部４４の係合代も有利に確保することができる。それ故、プロテクタ本体１２の側壁２０内に収容されるロック機構のロック安定性を有利に実現できる。さらに、ロック片挿入孔３８の形成部位における側壁２０の内面４０を、それ以外の部分の側壁２０の内面よりも内側に突出させることにより、ロック片挿入孔３８の形成部位の板厚寸法が確保されている。それ故、ロック片挿入孔３８の形成部位以外の部分において、プロテクタ本体１２内の収容スペースが最大限に確保されることから、従来構造に比して、ロック機構によるデッドスペースを飛躍的に縮小させ、ロック安定性を確保しつつ電線収容プロテクタの電線収容能力を有利に向上させることができるのである。
【００３０】
以上、本発明の実施形態について説明してきたが、かかる実施形態における具体的な記載によって、本発明は、何等限定されるものでない。例えば、ロック突起４８が板厚方向内方に突出される一方、ロック突部４４が内周側内面６０から外周側内面５８に突出されていてもよい。
【００３１】
また、本実施形態では、ロック片挿入孔３８の形成部位における側壁２０の内面４０が、高さ方向全面に亘ってプロテクタ本体１２の内側に突出されて形成されていたが、側壁２０の内面４０の上部のみがプロテクタ本体１２の内側に突出されていてもよい。
【符号の説明】
【００３２】
１０：電線収容プロテクタ、１２：プロテクタ本体、１４：上方開口部、１６：蓋体、２０：側壁、３８：ロック片挿入孔、４０：内面、４４：ロック突部、４６：ロック片、４８：ロック突起、５４：ロック突起形成部分、５８：外周側内面、６０：内周側内面、６２：突出端面
【図１】
2014082880.tif 000003
【図２】
2014082880.tif 000004
【図３】
2014082880.tif 000005
【図４】
2014082880.tif 000006
【図５】
2014082880.tif 000007
【図６】
2014082880.tif 000008